Podtech/llm-jp-corpus-v4-ja_patent huggingface dataset:
(57)【特許請求の範囲】
【請求項１】
主成分がグルコマンナンである粉末粒子を４０〜５０ｗｔ％のエタノールを含む水エタノール混液中で溶解することなく膨潤させ、アルカリとの反応によって膨潤した粒子をゲル化し、次いで脱水乾燥することにより、水との接触により完全には脱水乾燥前の元の含水ゲルの状態へは戻らないスクラブ剤に適した乾燥ゲル粒子を得ることを特徴とする、水不溶性グルコマンナンゲル粒子の製造法。
【発明の詳細な説明】
【０００１】
【本発明の分野および課題】
本発明は、水不溶性グルコマンナン粒子の製造法と、化粧品添加用スクラブ剤としての該粒子の用途に関する。
【０００２】
良く知られているように、グルコマンナンはコンニャクに含まれる高分子多糖類であり、水に溶解して粘稠なゾルを形成する。このゾルへアルカリを加えるとグルコマンナンの糖残基へ結合したアセチル基が脱離し、含水不可逆ゲルすなわちコンニャクとなる。
【０００３】
コンニャクの原料となるコンニャク粉は、一般に乾燥したコンニャク芋スライスを粉砕し、風力選別により繊維、デンプン等の大部分の不純物を除去することによって製造される。得られたコンニャク粉は精粉と呼ばれる。
【０００４】
特開平８−１３１０９７号は、コンニャク精粉をアルコール存在下に水で膨潤させ、アルカリ液に浸漬後加熱ゲル化させることよりなる微小コンニャク粒ゲルの製法が開示されている。得られるゲル粒子は粒径約０．５〜３ｍｍの含水ゲルであり、含水ゲル粒子の状態で低カロリーダイエット飲料に添加される。
【０００５】
本発明は、化粧品へ添加されるスクラブ剤として使用できる水不溶性グルコマンナンゲル粒子を提供することを課題とする。
【０００６】
【課題の解決方法】
低カロリーダイエット飲料へ添加される含水グルコマンナンゲル粒子の本態は、個々に独立した食用コンニャク粒子であるから、歯磨き、クレンジングフォーム等の研磨剤またはスクラブ剤としては使用できない。
【０００７】
そこで本発明は、グルコマンナンを主成分とする粉末粒子をエタノール混液中で溶解することなく膨潤させ、アルカリとの反応によた膨潤粒子をゲル化し、脱水乾燥することを特徴とする水不溶性グルコマンナン粒子の製造法を提供する。
【０００８】
他の面において、本発明はこの方法によって製造した水不溶性グルコマンナンゲル粒子よりなる化粧品添加用スクラブ剤に関する。
【０００９】
本発明によって製造される水不溶性グルコマンナンゲル粒子は化粧品用スクラブ剤として適当な硬さと粒子径を有し、乾燥状態では硬い粒子であるが、水と接触すると若干吸水して適度に柔らかくなるがスクラブ剤として機能しなくなるほど柔らかくならない。そのため従来一般に使用されている無機質のスクラブ剤に比較して歯や皮膚の表面を損傷することがなく、膨潤した状態での粒子サイズおよび適度の柔らかさによるマッサージ効果が得られ、それに伴って洗浄後の夾快感が得られる。
【００１０】
【好ましい実施態様】
グルコマンナン粉末には荒粉と呼ばれる粗製コンニャク粉と、風選により繊維、デンプン等の不純物を除去した精粉と呼ばれる部分的に精製されたコンニャク粉と、精粉を凍結状態でまたエタノールを加えて湿式粉砕して得られる速溶性微粉末コンニャク粉と、例えばエタノール沈澱法により高度に精製されたグルコマンナン粉末などが知られている。本発明でいう「グルコマンナンを主成分とする粉末粒子」とは、荒粉を除く部分的または高度に精製されたグルコマンナン含有粉末粒子を意味する。
【００１１】
グルコマンナンは水に可溶であるがエタノールには溶けない。そこで４０〜５０％のエタノールを含む水エタノール混液中にコンニャク精粉を浸漬すると粒子は水に溶解することなく膨潤する。この状態でアルカリによりゲル化させた含水ゲル粒子が先に引用した低カロリーダイエット飲料用の水不溶性コンニャクゲル粒子である。
【００１２】
しかしながらこの方法により得られた飲用含水ゲルはそのままでは食用コンニャクと同程度に柔らかく、粒子サイズも大きいので化粧品用スクラブ剤として機能しない。
【００１３】
本発明にあっては、先に定義したグルコマンナンを主成分とする粉末粒子を４０〜５０％のエタノールを含む水エタノール中に浸漬し、膨潤させた状態でアルカリによりゲル化する。使用し得るアルカリはナトリウム、カリウム等のアルカリ金属の水酸化物、またはカルシウム、マグネシウム等のアルカリ土類金属の水酸化物等である。水酸化カルシウムの水溶液（石灰水）が好ましい。その後ゲル粒子を液体から分離し、良く洗浄した後約１０５℃の温度で乾燥することにより、スクラブ剤として好適な水不溶性グルコマンナンゲル粒子が得られる。乾燥前にクエン酸のような無害な有機酸で過剰のアルカリを中和しても良い。
【００１４】
膨潤状態でゲル化したグルコマンナン粒子は一旦乾燥すると硬いゲル粒子となり、水との接触により完全には乾燥前の元の含水ゲルの状態へは戻らないが、少なくとも表面は適度な柔らかを有し、粒子サイズにおいて原料グルコマンナン粉末粒子に匹敵する膨潤ゲル粒子になる。このことがこのゲル粒子を歯表面や皮膚を傷つけない化粧品用スクラブ剤として使用することを可能とする原理である。
【００１５】
ここで「スクラブ剤」とは、歯磨ペーストの研磨剤としての使用を含む、歯や皮膚に付着した汚れを粒子の摩擦によって遊離し、洗い流すことを可能にする成分を意味する。
【００１６】
【実施例】
市販のコンニャク精粉１ｋｇを５０％エタノール水溶液８Ｌと飽和水酸化カルシウム水溶液（石灰水）１Ｌの混合液に加え、室温で約２時間攪拌し、ゲル化する。反応混合液を遠心し、得られた脱水ケーキを５０％エタノール水溶液５Ｌに再懸濁し、３０分以上攪拌した後再び遠心機により脱水し、必要あればこの操作を数回繰り返して良く洗浄する。必要あれば洗液中に適量のクエン酸を加え、過剰のアルカリを中和する。
【００１７】
次にこのように洗浄、脱水したケーキを乾燥機中で１０５℃の温度で十分に乾燥し、乾燥した（無水）グルコマンナンゲル粒子を得る。
【００１８】
次にこのグルコマンナンゲル粒子をスクラブ剤として使用したクレンジングフォームの処方例１および練り歯磨きの処方例２を示す。
【００１９】
0003932473.tif 000002
＊１：Ｎ−ミリストイル−Ｌ−グルタミン酸、自己乳化型モノステアリン酸グリセリン、ラウリン酸アミドプロピルベタイン、アルキルグルコシド等の界面活性剤
＊２：ホホバ油、ミリスチン酸等の油剤
＊３：パラオキシ安息香酸メチル
＊４：１，３−ブチレングルコール、濃グルセリン等の多価アルコール
【００２０】
0003932473.tif 000003
(57)【特許請求の範囲】
【請求項１】
短筒の一端が切り欠かれた開口部を有する外筒と、前記外筒より小径の円筒を縦割りした形状の内筒とを備え、前記開口部の反対側を竹の子の挿入口とし、前記外筒と前記内筒とを１箇所で固定することで両者を動かせるようにし、外筒及び内筒の中心に向けて外筒に外筒刃を１個、内筒に内筒刃を２個設けて、内筒には指当てを設け，手のひらに握り、指で該指当てを握ることにより内筒と外筒とを動かせるようにした事を特徴とする竹の子の皮処理具。
【発明の詳細な説明】
【技術分野】
【０００１】
この発明は棒状の太さの変化する野菜の表皮に切り込みをいれ皮むきを容易にする。根曲がり竹と呼ばれる細い竹の子の皮の処理に主に利用する。
【背景技術】
【０００２】
従来の技術では皮に傷をつけてむくことは行われていたが生の竹の子を効果的に労力を減らして又多量に処理する器具は少ない。
【文献１】
実公平６−１１００号広報
この方式では１本の切り込みしか入らない。
【発明の開示】
【発明が解決しようとする課題】
【０００３】
この発明は竹の子の皮むきを簡単に指や爪に傷をつけること無く処理しようとするものである。生のまま処理することにより風味を逃がさないで３本の切り込みのできる竹の子の皮処理器具を提供することを課題とする。
【課題を解決するための手段】
【０００４】
しかしながら以上の従来技術によれば使用し難く１本の切り込みしか入らない。そこでこの発明は短い円筒の一端に開口部（９）を設け前記よりもう少し直径の短い円筒の一部を縦割りした部分が、前記の太い筒の中へ開口部にフタをする様に差し込んで開口部と反対側の挿入口側（７）で両者を１箇所固定する事によって、手の平に握り親指で指当てを握ることにより両者を動かせる様にして円筒の中心に向け外筒（１）に外筒刃（５）一個、内筒（２）に内筒刃（４）２個の計３個を固定して成るものである。
【発明の効果】
【０００５】
この実施形態によれば挿入口（７）より右手で竹の子を先端より挿入し刃の所まできたら、左手の親指に力を入れて外筒刃と内筒刃との間隔を狭くしてさらに押し込むと、竹の子は親指にかかる力に応じて切り込みが深く入り先端は皮が厚いので力を入れ深く切り込み根元に近づくにつれて薄くなるので力を抜くことにより、竹の子の形状により切り込み深さが自在にでき、さらに３本の切り込みができた事により手で容易に皮をむく事が出来る。
【０００６】
この発明により指や爪の負担を軽くし疲労が少なくなりしかも操作は簡単で小型軽量、刃は内蔵で危険は少なく器具をまったく使わなかった場合に比べて３倍の能率があがったし生のまま皮の処理が出来るため風味がにげなかった。
【発明を実施するための最良の形態】
【実施例１】
【０００７】
この発明の実施形態を図１に示す。内径２５ｍｍ厚さ３ｍｍの塩ビ管を図３のように開口部（９）を作りさらにバンド用の切り込み（８）を作り開口部先端の内側中央に外筒刃（４）を固定させる。次に内径１９ｍｍ肉厚２ｍｍの塩ビ管を図４のように内筒刃２個を角度３０度で固定させ、外側には握りやすい様に指当て（６）を接着しバンド用切り込み（８）に合わせバンドとうし穴を２個あける。外筒（２）に内筒（１）を差し込み両者をバンド（３）で締める。図２のように手のひらに握り親指を握れば竹の子の皮への切り込み深さが調節できる。竹の子（１１）の先を器具の挿入口から貫通させるとき開口部側の刃のある位置で握った手の平と親指によって図２のように力を自在に変化させ切り込みの深さを調節する。左手で器具を握り右手で押し込みその後引き抜くと図５のように３筋の切り込みが入る。切り込みの入った竹の子は手で容易に皮をむくことができる。
【実施例２】
【０００８】
図１の実施形態ではちょうつがいにあたる部分（８）にバンドを用いたがそこに突起と穴により両者が動くようにすると構造上作りやすい。
【図面の簡単な説明】
【０００９】
【図１】  竹の子の皮処理器具の斜視図
【図２】  器具の使用中の図
【図３】  外筒の形状の図
【図４】  内筒の形状の図
【図５】  切り込みの入った竹の子の図
【符号の説明】
【００１０】
１      内筒
２      外筒
３      バンド
４      内筒刃
５      外筒刃
６      指当て
７      挿入口
８      バンド用切り込み
９      開口部
１０    切り込み
１１    竹の子
Ａ      竹の子の皮処理器具
【図１】
0003932419.tif 000002
【図２】
0003932419.tif 000003
【図３】
0003932419.tif 000004
【図４】
0003932419.tif 000005
【図５】
0003932419.tif 000006
(57)【特許請求の範囲】
【請求項１】
グローブの周縁部にバンドが流動性の接着剤にて接着取付された照明器具において、前記バンドが、中空部と、前記グローブへの取付面から該中空部に連通する空隙部とを備え、少なくとも前記バンドの前記グローブへの取付面の周縁部が前記グローブの周縁部に当接するとともに、前記空隙部は接着剤を中空部に流し込むものであり、前記グローブの前記バンド取付面に凹部を設け、前記バンドに該凹部に収納される突起部を設けたことを特徴とする照明器具。
【発明の詳細な説明】
【０００１】
【発明の属する技術分野】
本発明は、グローブ外周にバンドが取り付けられた照明器具に関するものである。
【０００２】
【従来の技術】
従来より、照明器具の装飾用として、グローブの周縁部にバンドが取り付けられている。図３（ａ），（ｂ）は、従来例に係るバンドの概略断面図である。図３（ａ）に示すバンド４は、グローブ（図示せず）への当接面の断面形状が、グローブの周縁部の断面形状そのままで押し出し成形されたものであり、図３（ｂ）に示すバンド５は、図３（ａ）に示すバンド４において、材料削減または重量軽減のために、中空部５ａを形成したものである。
【０００３】
【発明が解決しようとする課題】
ところが、上述のような構造のバンドにおいては、バンドがグローブから外れるのを防止するために接着剤を用いていたが、図４に示すように、意匠面への接着剤のはみ出しにより外観を損なうという問題があった。
【０００４】
本発明は、上記の点に鑑みて成されたものであり、その目的とするところは、バンドを接着させる際の接着剤のはみ出しを防止することのできる照明器具を提供することにある。
【０００５】
【課題を解決するための手段】
【課題を解決するための手段】
請求項１記載の発明は、グローブの周縁部にバンドが流動性の接着剤にて接着取付された照明器具において、前記バンドが、中空部と、前記グローブへの取付面から該中空部に連通する空隙部とを備え、少なくとも前記バンドの前記グローブへの取付面の周縁部が前記グローブの周縁部に当接するとともに、前記空隙部は接着剤を中空部に流し込むものであることを特徴とするものである。
【０００６】
更に、請求項１記載の発明は、前記グローブの前記バンド取付面に凹部を設け、前記バンドに該凹部に収納される突起部を設けたことを特徴とするものである。
【０００７】
【発明の実施の形態】
以下、本発明の一実施の形態について図面に基づき説明する。図１は、本発明の一実施の形態に係る照明器具を示す概略構成図であり、（ａ）は一部破断した状態を示す概略側面図であり、（ｂ）は（ａ）の要部を拡大した状態を示す概略断面図である。本実施の形態に係る照明器具は、器具本体１と、この器具本体１に回転させて取り付けるグローブ２と、グローブ２の周縁部に接着されるバンド３とを備えて成る。
【０００８】
器具本体１は、略円板状の天板の中央に点灯装置（図示せず）やランプ１ａ等が取り付けられ、天板の下面側周縁部にグローブ２を保持する受け金具１ｂが略等ピッチで設けられている。
【０００９】
グローブ２は、透光性を有する例えばガラス製であって、ランプ１ａを包囲し、開口（図示せず）を器具本体１と合わせて押し上げて回転させることにより、受け金具１ｂにより保持されて器具本体１に装着される。
【００１０】
ここで、グローブ２の周縁部にはバンド３が取り付けられている。バンド３のグローブ２との当接面は、グローブ２の周縁部の断面形状と略同様に押し出し成形され、内部に中空部３ａが形成されている。そして、バンド３の当接面側の略中央から中空部３ａにかけて空隙部３ｂが形成されている。
【００１１】
なお、バンド３のグローブ２への当接面側の形状としては、少なくともバンド３の周縁部においてグローブ２と当接するような形状であれば良い。
【００１２】
従って、本実施の形態においては、図２の矢印で示すように、バンド３をグローブ２に取り付けた際の、バンド３の天井面側のバンド３とグローブ２との隙間から接着剤を流し込ませると、余分な接着剤が空隙部３ｂを介して中空部３ａに流れ込むことになり、意匠面（グローブ２のバンド３取付面よりも下面側）に接着剤が流れ出すことがなくなり、外観を損なうことがなくなる。
【００１３】
ここで、従来においては、内周と外周の差によってバンドの形状が歪むのを防止するために、バンドの材質硬度を大きくし、これによりグローブに巻く作業性を低下させていたが、本実施の形態においては、図２に示すように、グローブ２のバンド３取付面に凹部２ａを設け、凹部２ａ内に収納されるようにバンド３の空隙部３ｂ近傍に突起部３ｃを設けることにより、バンド３をグローブ２の周縁部に当接させた際に、突起部３ｃが凹部２ａ内に収納され、凹部２ａの側壁により突起部３ｃがガイドされるので、バンド３の材質硬度を大きくすることなく、バンド３の歪みを防止して外観性を損なうことがない。
【００１４】
また、グローブ２に凹部２ａを設け、バンド３に突起部３ｃを設けることにより、バンド３の位置決め及び取付性を向上させることができる。
【００１５】
【発明の効果】
請求項１記載の発明は、グローブの周縁部にバンドが流動性の接着剤にて接着取付された照明器具において、前記バンドが、中空部と、前記グローブへの取付面から該中空部に連通する空隙部とを備え、少なくとも前記バンドの前記グローブへの取付面の周縁部が前記グローブの周縁部に当接するとともに、前記空隙部は接着剤を中空部に流し込むものであるので、余分な接着剤が空隙部を介して中空部に流れ込むことになり、バンドを接着させる際の接着剤のはみ出しを防止することのできる照明器具を提供することができた。
【００１６】
更に、請求項１記載の発明は、前記グローブの前記バンド取付面に凹部を設け、前記バンドに該凹部に収納される突起部を設けたので、凹部側壁が突起部をガイドすることになり、バンドの材質硬度を大きくすることなくグローブに取り付けた際のバンドの形状を安定させることができ、また、バンドの位置決め及び取付性を向上させることができる。
【図面の簡単な説明】
【図１】本発明の一実施の形態に係る照明器具を示す概略構成図であり、（ａ）は一部破断した状態を示す概略側面図であり、（ｂ）は（ａ）の要部を拡大した状態を示す概略断面図である。
【図２】本実施形態に係るグローブに対してバンドを接着する際の接着剤の流れを示す模式図である。
【図３】（ａ），（ｂ）は、従来例に係るバンドの概略断面図である。
【図４】従来例に係るグローブに対してバンドを接着する際の接着剤の流れを示す模式図である。
【符号の説明】
１  器具本体
１ａ  ランプ
１ｂ  受け金具
２  グローブ
２ａ  凹部
３  バンド
３ａ  中空部
３ｂ  空隙部
３ｃ  突起部
４，５  バンド
５ａ  中空部
【図１】
0003932693.tif 000002
【図２】
0003932693.tif 000003
【図３】
0003932693.tif 000004
【図４】
0003932693.tif 000005
(57)【特許請求の範囲】
【請求項１】
鉛極柱と該鉛極柱の周面を気密的に取り巻いて形成された樹脂部とからなる樹脂巻き端子の鉛極柱の一端が蓋の貫通孔に挿入されるとともに他端がストラップに接続されてなる鉛蓄電池において、前記鉛極柱を、他端がストラップの側面に接続されるようにＬ字形に形成し、かつ前記樹脂部に、側面を異極性のストラップまたは電槽に支持させる逆Ｌ字形の突起を形成したことを特徴とする鉛蓄電池。
【発明の詳細な説明】
【０００１】
【発明の属する技術分野】
本発明は、樹脂巻き端子の樹脂部が蓋に溶着された鉛蓄電池に関するものである。
【０００２】
【従来の技術】
蓄電池は、電槽内に収納した正極と負極で発生した電気を、端子を介して取り出す構造となっている。該端子は、通常電槽の上部に取り付けられた蓋の貫通孔から突出したものであり、蓋の貫通孔との隙間に樹脂を充填して気密性が保たれている。また、端子部の液密性を確保する他の手段として、図３に示すような樹脂巻き端子２１が鉛蓄電池に使用されている。すなわち、鉛極柱２２と、この鉛極柱２２の周面を気密的に取り巻いて形成された樹脂部２３とからなる樹脂巻き端子を、鉛極柱２２の下部をストラップ２４と接続した後、電槽（図示せず）と蓋２５とを熱溶着する際樹脂部２３の上縁と蓋２５に設けた貫通孔２５ａの下縁とを熱溶着して取り付けて使用されている。
【０００３】
【発明が解決しようとする課題】
このような樹脂巻き端子２１を蓋２５の貫通孔２５ａに熱溶着する際、端子２１が大きな応力を受け、位置ずれや変形を起こすことがあった。特に、端子中心線からストラップ２４までの距離Ｌが長いものは、樹脂部２３にかかる力によって大きなモーメントが生じ、ストラップ２４やこれに連結する極板の位置ずれや変形が大きくなり、端子部の気密が不完全になるという問題点を有していた。
【０００４】
このような問題点を解決するために、端子中心線からストラップまでの距離Ｌを小さくしたり、端子２１とストラップ２４の溶接部分２６の厚みを増すなどの対策が講じられたが、電池の体積効率や容積効率が悪くなるという新たな問題点が生じた。
【０００５】
本発明は上記問題点に鑑みてなされたものであって、その目的とするところは、電池の体積効率や容積効率を低下させずに、樹脂巻き端子を位置ずれや変形させることなく蓋の貫通孔に熱溶着できる鉛蓄電池を提供することにある。
【０００６】
【課題を解決するための手段】
上記目的を達成するために、本発明は、鉛極柱と該鉛極柱の周面を気密的に取り巻いて形成された樹脂部とからなる樹脂巻き端子の鉛極柱の一端が蓋の貫通孔に挿入されるとともに他端がストラップに接続されてなる鉛蓄電池において、前記鉛極柱を、他端がストラップの側面に接続されるようにＬ字形に形成し、かつ前記樹脂部に、側面を異極性のストラップまたは電槽に支持させる逆Ｌ字形の突起を形成したことを特徴とするものである。
【０００８】
【発明の実施の形態】
以下、本発明の実施形態を図面に基づいて詳細に説明する。
【０００９】
（実施形態１）
図１は本発明の一実施形態を示す要部断面図であり、１は鉛極柱２と、該極柱の周面に気密的に取り巻いて形成された樹脂部３とからなる樹脂巻き端子、４は正極ストラップ、５は負極ストラップ、６は正極ストラップ４と樹脂巻き端子１との接合部、７は蓋、８は正極板９と負極板１０の間にセパレータ１１を挟んで積層し、同極性の極板同士をストラップ４，５で連結した極群である。樹脂巻き端子１は、正極ストラップ４と負極ストラップ５の間にあって、ストラップ４および５の上部空間を出来るだけ小さくするために鉛極柱２がＬ字形になり、該鉛極柱の側面がストラップ４または５の側面と接合部６で連結されている。樹脂部３は、側面に逆Ｌ字形の突起３ａが形成され、該突起３ａの先端が負極ストラップ５の上面に当接している。
【００１０】
このような構成の鉛蓄電池を作製するには、先ず、極群８を電槽内に収納し、次いで、樹脂巻き端子１の樹脂部３の突起３ａ先端を負極ストラップ５の上面に当接すると共に、鉛極柱２の下部側面を正極ストラップ４の側面に当接して、この両面にガスバーナーの火炎を当てて溶接する。
【００１１】
次に、電槽（図示せず）の上縁と樹脂部３の上縁、及び該電槽の上縁と樹脂部の上縁に当接する蓋の下縁を熱板で溶融し、蓋７の貫通孔７ａに鉛極柱２を挿入してそれぞれの上縁と下縁を当接した状態で冷却し接合する。この時、蓋７の下縁を電槽の上縁や樹脂部３の上縁に押しつけるが、樹脂部３が突起３ａを介して負極ストラップ５で支持されているので、位置ずれや変形することなく確実に溶着される。
【００１２】
（実施形態２）
図２は本発明の他の実施形態を示す要部断面図であり、図１と同一符号は同一名称を示す。また、１２は電槽である。
【００１３】
本実施形態の樹脂部３の突起３ａは、電槽１２の段差面１２ａに乗るように側壁に当接している。このように、段差面１２ａに乗せておくと樹脂部３にかかる下向きの力がこの面で支持されることになり、樹脂部３の位置ずれや変形を防げる。
【００１４】
なお、本実施形態の場合、樹脂部３の突起３ａに代えて、鉛極柱２の下部に突起を設け、この突起を電槽に当接しても同様の効果がある。
【００１５】
【発明の効果】
以上のように、本発明の請求項１によれば、樹脂巻き端子を蓋に溶着する際、電池の体積効率や容積効率を低下させることなく、樹脂巻き端子の位置ずれや変形をなくすことができ、気密性の優れた鉛蓄電池を提供できる。
【００１６】
また、請求項２によれば、樹脂巻き端子と異極性のストラップが近接している場合、突起が小さくて済み、組み立ても容易である。
【００１７】
さらに、請求項３によれば、樹脂巻き端子と電槽が近接している場合、突起が小さくて済み、組み立ても容易である。
【図面の簡単な説明】
【図１】本発明の一実施形態を示す要部断面図である。
【図２】本発明の他の実施形態を示す要部断面図である。
【図３】従来の一実施形態を示す要部断面図である。
【符号の説明】
１  樹脂巻き端子
２  鉛極柱
３  樹脂部
４  正極ストラップ
５  負極ストラップ
７  蓋
１２  電槽
【図１】
0003932677.tif 000002
【図２】
0003932677.tif 000003
【図３】
0003932677.tif 000004
(57)【特許請求の範囲】
【請求項１】
ベースに水平周期のドライブパルスが供給されコレクタ・エミッタ間に対して並列に水平コイルとＳ字補正コンデンサの直列回路と第1の共振コンデンサが接続され、コレクタと基準電位点間に対して第２の共振コンデンサとカソードがコレクタ側になるようにダンパーダイオードが接続され、コレクターがチョークコイルを介して直流電源に接続された水平出力トランジスタと、この水平出力トランジスタのエミッタと基準電位点間に、カソードが基準電位点側になるように設けたダイオードと並列に接続されたコンデンサと、それらと並列に接続されたスイッチ素子を具備したことを特徴とするテレビジョン受信機の水平出力回路。
【請求項２】
スイッチ素子を、スイッチを駆動する回路と周波数判別を行いスイッチ駆動回路へ制御信号をだす周波数制御回路とで構成したことを特徴とするテレビジョン受信機の水平出力回路。
【発明の詳細な説明】
【０００１】
【発明の属する技術分野】
本発明はテレビジョン受信機の水平出力回路に関するものである。
【０００２】
【従来の技術】
従来のテレビジョン受信機（以下、テレビ）の水平出力回路としては、例えば、特開平２−２１７７７号公報が提案されている。図３にその回路構成を示す。図３の従来例において、周波数に応じて直流電源電圧を増減させて偏向電流を一定に保つようにするが、広範囲の周波数対応のためには直流電源の電圧可変範囲を広く取らねばならない。
【０００３】
【発明が解決しようとする課題】
広範囲の周波数対応における直流電源の可変範囲がおおきくなると、安定化損失は増大し、消費電力が増大する課題が生じる。
【０００４】
本発明はこのような従来の課題を解消し、広範囲の周波数対応機能はそのままで直流電源の可変範囲を削減し消費電力を削減できるテレビ水平出力回路を提供するものである。
【０００５】
【課題を解決するための手段】
この目的を達成するために本発明のテレビ水平回路は、水平出力トランジスタのエミッタと基準電位点間に、カソードが基準電位点側になるように設けたダイオードと並列に接続されたコンデンサと、それらと並列に接続されたスイッチ素子を設け、周波数判別回路とスイッチ駆動回路により、周波数に応じてスイッチをオンオフすることにより、水平偏向コイルに加わる電圧を可変し、偏向電流を制御する機能を持たせることにより、直流電源の可変範囲を削減する。
【０００６】
【発明の実施の形態】
（実施例１）
以下、本発明のテレビ水平出力回路の実施例について図面を参照しながら説明する。
図１において、水平出力トランジスタＱ１のコレクタ・エミッタ間に対して並列に水平偏向コイルＬｙとＳ字補正コンデンサＣｓの直列回路と第1の共振コンデンサＣｒ１が接続され、コレクタと基準電位点間に対して第２の共振コンデンサＣｒ２とカソードがコレクタ側になるようにダンパーダイオードＤｄが接続され、コレクターがチョークコイルＬｐを介して直流電源Ｅに接続されている。
水平出力トランジスタＱ１のエミッタと基準電位点間に、カソードが基準電位点側になるように設けたダイオードＤ１と並列に接続されたコンデンサＣ１と、それらとスイッチ素子ＳＷ１は並列に接続されている。
【０００７】
この場合、スイッチ素子ＳＷ１がＯＦＦであれば、コンデンサＣ１には負の電圧−Ｖｃ１が発生し、 Ｓ字コンデンサＣｓの両端電圧の電圧Ｖｃｓは
Ｖｃｓ＝Ｖ＝Ｅ−（−Ｖｃ１）＝Ｅ＋Ｖｃ１ となり、このＶに比例した電流
Ｉｙが水平偏向コイルに流れる。
スイッチ素子ＳＷ１がＯＮの場合、Ｓ字コンデンサＣｓの両端電圧の電圧Ｖｃｓは
Ｖｃｓ＝Ｖ＝Ｅとなり、このＶに比例した電流Ｉｙが水平偏向コイルＬｙに流れる。
【０００８】
そのため、スイッチ素子ＳＷ１のオンオフ制御により、異なる偏向電流Ｉｙを流す事が可能となり、水平周波数が高い場合には、直流電源電圧Ｅを高く設定しなければならなかったが、スイッチ素子ＳＷ１を低周波数時にＯＮとし、高周波数時にはＯＦＦすることで、直流電源電圧Ｅを（Ｖｃ１）分低く設定することが可能となる。
【０００９】
（実施例２）
図２に示すように、実施例１の水平出力回路のスイッチＳＷ１の制御を同期分離回路３により、入力信号の同期信号を分離し、周波数判別回路２において、ある周波数においてしきい値を設けて、入力周波数がしきい値以下であればスイッチＷ１をＯＮ、しきい値以上であれば、スイッチＳＷ１をＯＦＦさせるスイッチ駆動回路１を用い、周波数に応じて直流電圧Ｅの可変と共に、スイッチ制御を行うことで偏向電流の制御を行い、一定の画面振幅を実現し、かつ直流電圧Ｅの可変範囲を小さくし、直流電圧制御による安定化損失を削減し、消費電力を削減する。
【００１０】
【発明の効果】
以上のように、本発明のテレビ水平出力回路は周波数可変型水平偏向回路（マルチスキャン偏向回路）において、周波数検出回路によるスイッチ制御を追加することにより直流電圧の可変量を削減し省電力化を実現できる。
【図面の簡単な説明】
【図１】本発明の一実施例における水平出力回路の回路図
【図２】本発明の一実施例における水平出力回路の制御回路図
【図３】従来例の水平出力回路の回路図
【符号の説明】
Ｑ１  水平出力トランジスタ
Ｄｄ  ダンパーダイオード
Ｄ１  ダイオード
Ｃ１  コンデンサ
Ｃｒ１  第１の共振コンデンサ
Ｃｒ２  第２の共振コンデンサ
Ｃｓ  Ｓ字補正コンデンサ
Ｌｙ  水平偏向コイル
Ｔ１  フライバックトランス
Ｌｐ  チョークコイル
１  スイッチ駆動回路
２  周波数判別回路
３  同期分離回路
【図１】
0003932703.tif 000002
【図２】
0003932703.tif 000003
【図３】
0003932703.tif 000004
(57)【特許請求の範囲】
【請求項１】
把手部と、ご飯をすくう掬取部を有し、前記掬取部の表面と側面部と裏面に少なくとも３種類以上の異なる形状の突起物を配設し、前記突起物は前記掬取部の中央が大きく、周辺部はそれよりも小さい突起物としたしゃもじ。
【請求項２】
掬取部周辺部及び側面部にはシボ加工を施してなる請求項１記載のしゃもじ。
【発明の詳細な説明】
【０００１】
【発明の属する技術分野】
本発明は、一般家庭、あるいは業務用でご飯を掬うしゃもじに関するものである。
【０００２】
【従来の技術】
従来のしゃもじとしては、図３に示すように、把手部３１と、ご飯を掬う掬取部３２を有し、材料をポリプロピレン樹脂で構成したものがあった。
【０００３】
【発明が解決しようとする課題】
しかしながら、上記のような構成にしたしゃもじでご飯を掬う場合、掬取部に糊状の薄膜が付着しやすく、みばえも悪く、また、不衛生でもあり、ご飯を除去すべく作業が手間となっていた。
【０００４】
本発明は、上記のような課題を解決するためになされたもので、ご飯の粒や糊状の薄膜の付着をすることができるしゃもじを提供することを目的とする。
【０００５】
【課題を解決するための手段】
上記課題を解決するために、本発明は、掬い部の表面部と側面部と裏面に少なくとも３種類以上の異なる形状の突起物を設け、突起物は掬取部の中央が大きく、周辺部はそれよりも小さい突起物としたものである。
【０００６】
本発明では、３種類以上の異なる形状の突起物を設けているため、ある面積下でより多くの突起物を設けることが可能となり、ご飯を掬う掬取部本体ベース面とご飯粒との接触面積を小さくして、ご飯粒や糊状の薄膜が付着しにくくしたものである。さらに、掬取部の表面全体に突起物をできるだけ多く配設することができるため、周辺部にもご飯がくっつかなくなり、衛生的であり、つくりやすいという利点もある。
【０００７】
【発明の実施の形態】
請求項１記載の発明は、把手部と、ご飯をすくう掬取部を有し、前記掬取部の表面と側面部と裏面に、少なくとも３種類以上の異なる突起物を配設したことにより、ご飯粒との接触面積が小さくなり、ご飯粒や糊状の薄膜が付着し難くなる。
【０００８】
さらに、突起物は掬取部の中央が大きく、周辺部はそれよりも小さい突起物を設けることにより、掬取部の表面全体に突起物をできるだけ多く配設することができるため、周辺部にもご飯がくっつかなくなり、衛生的であり、つくりやすいという利点もある。
【０００９】
請求項２記載の発明は、掬取部周辺部及び側面部にシボ加工を施すことにより、周辺部において、ご飯としゃもじの接触面積が増え、ご飯を掬うときに、よりくっつきにくいと効果がある。また、射出成形による生産においては、金型の構造が簡単ですむため、作りやすいというメリットもある。
【００１０】
【実施例】
以下、本発明の実施例を図１及び図２にもとづいて説明する。
【００１１】
図１において、しゃもじ１０は、手によって把持される把手部１１と把手部１１の先端から広がる掬取部１２とが一体に形成されている。掬取部１２は、ご飯を掬うためのものである。この掬取部１２は把手部１１の先端から湾曲した平面となっている。
【００１２】
掬取部１２は、約２ｍｍの厚さとなっており、この掬取部１２の表面には、大突起１３と小突起１４を配設しており、大突起１３は、例えば、直径が２．８ｍｍで、高さが１．２ｍｍの半球状の形状である。また、小突起１４は、例えば、直径が１．９ｍｍで、高さが０．７ｍｍの半球状の形状となっている。前記大突起１３は、掬取部１２の表面部にほぼ全面に整列状に形成されており、掬取部１２に大突起１３が構成上どうしても配設されない表面部に、前記小突起１４を配設している。
【００１３】
前記掬取部１２の裏面も、表面部と同じ形状で、大突起１３及び、小突起１４を配設している。そうすることで、掬取部の表面全体に突起物をできるだけ多く配設することができる。また、前記小突起物の形状の直径と高さを変更することで、前記掬取部１２の表面部に数多くの突起物を配設できることは言うまでもない。このような構成をとることで、ご飯としゃもじの接触面積を少なくすることができ、周辺部にもご飯がくっつかなくなり、衛生的であり、つくりやすいという利点もある。
【００１４】
図２において、掬取部２０の側面部にはシボ２１を配設している。掬取部２０の外周側面部は、厚さ２ｍｍの立ちより側壁面になっており、突起物を設けることができない。わずかな面積であるが、この部分にご飯粒か糊状の薄膜が付着することになる。第３の実施例は、これを満足すべくシボ加工２１を、前記掬取部２０の側面部に施すことにより、接触面積を小さく、剥離性を高めている。また、かかる実施例は、例えば、側面より金型分割により、突起物をつけることを不要とし、射出成形による生産においては、金型の構造が簡単ですむため、作りやすいというメリットもある。
【００１５】
【発明の効果】
以上のように、本発明によれば、ご飯粒の付着がなくなり、みばえも良く使用後の洗浄も容易にすることができる。
【図面の簡単な説明】
【図１】  本発明の一実施例のしゃもじの突起物の配設状態を示した図
【図２】  同、しゃもじの別の突起物の配設状態を示した図
【図３】  従来のしゃもじの平面図
【符号の説明】
１０  しゃもじ
１１  把手部
１２  掬取部
１３  大突起物
１４  小突起物
１５  ご飯粒
２０  掬取部
２１  シボ
３１  把手部
３２  掬取部
【図１】
0003932772.tif 000002
【図２】
0003932772.tif 000003
【図３】
0003932772.tif 000004
(57)【特許請求の範囲】
【請求項１】
駆動力を受けて回転する角軸に、突出方向に付勢され、ボルトの頭に嵌合するソケットを軸方向に摺動自在に取付けるとともに、上記ソケットの外周に作用する押圧片により上記ソケットの先端部から上記角軸が突出する位置まで上記ソケットを引戻す引戻しユニットと、上記ソケットに嵌合したボルトの頭を軸部側から支持片により支持して支持位置と非支持位置との間で変位する支持ユニットとが、共通の駆動手段により上記ソケットの軸方向に移動自在に取付けられており、上記引戻しユニットと支持ユニットとが上記ボルトを支持した状態で上記駆動手段が後退することを特徴とするボルト抜き取り用のボルトの保持装置。
【発明の詳細な説明】
【０００１】
【発明の属する技術分野】
本発明はボルトの保持装置に関し、より詳しくは、壁面に囲まれた狭いところからボルトを抜取る際に用いるボルトの保持装置に関する。
【０００２】
【従来の技術】
例えば、コンロッドの大端部にコンロッドキャップを締付けるボルトは、その頭部か大端部の張り出し部分に囲われている関係上、弛めたあとのボルトを引き出すのが厄介で、また、引取り出したあとでもボルトを落とし易く、これが駆動部等にひっかかっていろいろ支障をきたしかねない不具合が生じる。
【０００３】
【発明が解決しようとする課題】
本発明はこのような問題に鑑みてなされたもので、その目的とするところは、弛めたボルトを把持してこれを所定の部位に確実に排出することのできるボルト抜き取り用のボルトの保持装置を提供することにある。
【０００４】
【課題を解決するための手段】
すなわち、本発明はこのような課題を達成するためのボルト抜き取り用のボルトの保持装置として、駆動力を受けて回転する角軸に、突出方向に付勢され、ボルトの頭に嵌合するソケットを軸方向に摺動自在に取付けるとともに、上記ソケットの外周に作用する押圧片により上記ソケットの先端部から上記角軸が突出する位置まで上記ソケットを引戻す引戻しユニットと、上記ソケットに嵌合したボルトの頭を軸部側から支持片により支持して支持位置と非支持位置との間で変位する支持ユニットとが、共通の駆動手段により上記ソケットの軸方向に移動自在に取付けられており、上記引戻しユニットと支持ユニットとが上記ボルトを支持した状態で上記駆動手段が後退するようにしたものである。
【０００５】
【発明の実施の形態】
そこで以下に本発明の実施例について説明する。
図面は本発明の一実施例を示したものである。
【０００６】
図において符号１で示した基体には、引き込みユニット１０を支持するスリーブ３と、ノックアウトピン５を支持するスリーブ２とが上下に一体的に設けられていて、ノックアウトピン支持用のスリーブ２には、図示しない駆動モータに駆動されて回転するノックアウトピン５が回転自在に挿通され、また、断面角形をなすこのノックアウトピン５には、その先端に、これと一体的に回転するソケット６がスリーブ２の前端との間に介装したスプリング８により常時突出方向に付勢された状態で摺動自在に取付けられている。
【０００７】
一方、このノックアウトピン支持用のスリーブ２の上方に平行に設けた引き戻しユニット支持用のスリーブ３には、基体１上の操作シリンダ１５によって駆動操作されるロッド１１が摺動自在に挿通され、さらにこのロッド１１の先端には、ソケット６に設けたフランジ部７を介してソケット６を後方に変位させる引き込み部材１２が取付けられている。
【０００８】
この引き込み部材１２は、ボルトＢの螺合が解かれてこれをノックアウトする時点で上記したソケット６を後退させるためのもので、この引き込み部材１２は、図３に示したように、先端の押圧片１３に設けた馬蹄形の凹部１４をソケット６の外周に沿わせた状態でソケット６後端のフランジ部７を押圧するように構成されている。
【０００９】
これに対して図中符号１６は、コンロッドＷから外されたボルトＢをソケット６に嵌合させたままの状態で対側、つまり図１に示したようにボルトの軸部側から支持する支持ユニットで、この支持ユニット１６を縦向きに摺動自在に支持する支持体１７は、スライドプレート４の先端に取付けられている。
【００１０】
この支持ユニット１6は常時バネ１８によって上向きに付勢されていて、この上端には、後述する押下げプレート２２の下面に接して転動するローラ１９が設けられ、またこの下面には、ボルトＢの軸部に当接して頭の対側、つまり裏面側を支える支持片２０が設けられている。
【００１１】
これに対して、上記した押下げプレート２２は支持ユニット１６をボルト支持位置に押下げる働きをするもので、この押下げプレート２２は、ガイドスリーブ２３に支持された状態で押下げシリンダ２４により上下に操作されるように構成されている。
【００１２】
つぎに、このように構成された装置によるボルトＢの抜き取り動作について説明すると、はじめに、図４（ａ）に示したように、押下げプレート２２を引上げ、支持ユニット１６を自己のバネ１８により非支持位置に保持した状態で、バネ８により突出させたソケット６の先端をボルトＢの頭に嵌合させる。
【００１３】
ついでこの状態のもとで、図示しない駆動モータによりソケット６を回転させ、コンロッドキャップを締め付けているボルトＢを弛めてゆき、やがて、図１に示したように、ボルトＢの頭の内側面が支持片２０の直下に達した時点、つまり、ボルトＢの螺合が解かれた時点で押下げシリンダ２４を作動させ、押下げプレート２２により支持ユニット１６を押し下げて、その支持片２０によりボルトＢの頭の軸部側を支持してソケット６との間で挟持する。
【００１４】
そして、図示しないシリンダを作動させスライドプレート４を介して支持ユニット１６を図中右方へ移動させ、ボルトＢを放出する位置まで到達した時点で、図４（ｂ）に示したように、押下げプレート２２を引上げ、同時に操作シリンダ１４によって引き込み部材１２を図中右方へ移動させると、フランジ部７を介してこの引き込み部材１２に接しているソケット６は、角軸５上を大きく右方へ摺動し、角軸５をソケット６の先端から突出させて、その角軸５によりソケット６の先端に嵌合しているボルトＢを放出して、図示しないトレイ上へ排出する。
【００１５】
ところで、以上はコンロッドＷからのボルトの保持装置の例によって本発明を説明したものであるが、ボルトに限らずナットの取り出しにも本発明を適用することができる。
【００１６】
【発明の効果】
以上述べたように本発明によれば、狭い部分に螺設したボルトを弛めた上で、これを支持ユニットにより支持しつつ抜き取って、さらにソケットの先端から突出させた角軸によってボルトを確実に所要の部位に排出することができる。
【図面の簡単な説明】
【図１】本発明の一実施例をなすボルト保持装置の側面図である。
【図２】同上装置の支持ユニットについて示した正面図である。
【図３】同上装置の引戻しユニットについて示した正面図である。
【図４】（ａ）（ｂ）は同上装置によるボルトの抜き取り動作を示した説明図である。
【符号の説明】
５  角軸
６  ソケット
１０  引戻しユニット
１６  支持ユニット
２２  押下げプレート
【図１】
0003932146.tif 000002
【図２】
0003932146.tif 000003
【図３】
0003932146.tif 000004
【図４】
0003932146.tif 000005
(57)【特許請求の範囲】
【請求項１】
車輪、ブレードなどの滑走手段（４）を有するスケート靴（３）において、スケート場等の滑走面（８）に向けて紫外線を照射する紫外線照明装置（１）を備えたことを特徴とするスケート靴。
【請求項２】
スケート靴（３）の滑走手段（４）が接地状態か、離陸状態かを検出するためのスイッチ、もしくは感圧センサーなどの接地検出手段（２）を備えた請求項１記載のスケート靴。
【請求項３】
前記接地検出手段（２）が滑走手段（４）の接地を検出している時には紫外線照明装置（１）が紫外線を照射もしくは増光し、滑走手段（４）の離陸を検出している時には紫外線を消灯もしくは減光するスイッチ回路（７）を有することを特徴とする請求項１記載のスケート靴。
【請求項４】
前記スイッチ回路（７）は接地検出手段（２）が請求項３の機能を兼ね備える場合においては省略が可能であるところの請求項１記載のスケート靴。
【発明の詳細な説明】
【０００１】
【発明の属する技術分野】
本発明は、照明装飾効果を得るために滑走面に向けて紫外線を照射する紫外線照明装置と、滑走手段の接地状態を検出する接地検出手段を備え、スイッチ回路によって、接地を検出している時には紫外線照明装置が紫外線を照射もしくは増光せしめ、滑走手段の離陸を検出している時には消灯もしくは減光せしめるようにしたスケート靴に関するものである。
【０００２】
【従来の技術】
従来のスケート靴は、主に滑走走行するための基本機能のみが追求されていた。
【０００３】
【発明が解決しようとする課題】
これには、以下のような欠点があった。
１．スケートはスキーのシュプールのように滑った跡がはっきりと残らないため、外部から観察、カメラ撮影等をしてもスケーターの脚の運びや軌道を見て楽しんだり滑り方を学んだりすることが困難であった。
２．スケーターが美しく目立つためにはスケート靴はほとんど寄与せず、衣装や外部からの照明に頼らなければならなかった。
本発明は、これらの欠点を失くすためになされたものである。
【０００４】
スケート場の滑走面（８）に向けて紫外線を照射する紫外線照明装置（１）と、スケート靴（３）に備わる滑走手段（４）の接地状態を検出する接地検出手段（２）を備え、スイッチ回路（７）によって接地を検出している時には紫外線照明装置（１）が滑走面（８）に向けて紫外線を照射もしくは増光し、滑走手段（４）の離陸を検出している時には紫外線を消灯もしくは減光せしめる。本発明は以上の構成よりなるスケート靴であり、滑走面（８）に蓄光層もしくは蛍光層（９）を備えたスケート場で本発明を使用することにより、滑走した軌跡に光跡を残す、もしくは周囲の滑走面を発光させることが可能となり、課題が解決される。
【０００５】
【発明の実施の形態】
以下、本発明の実施の形態について説明する。
特記なき場合は、左右両方のスケート靴について述べる。
実施例として図１に滑走手段としてブレードを備えたアイススケート用のスケート靴を示すが、本発明の対象は、滑走手段として車輪を備えたローラースケート、インラインスケートなどのスケート靴も含む。
【０００６】
スケート靴（３）の底面に紫外線照明装置（１）を設ける。紫外線の照射方向は滑走面（８）に向け、紫外線が滑走面（８）に届くようにする。本発明でいう紫外線照明装置（１）とは、強い紫外線を含む光を照射可能な照明装置であり、この照射光にこれ以外の波長の光が含まれてはならないというものではない。
紫外線照明装置（１）の光源には例えば衝撃に強い紫（紫外線）発光ダイオード（５）などを用いることが望ましい。
【０００７】
紫外線照明装置（１）はバッテリー（６）を電源とし、バッテリー（６）はスケート靴（３）に内蔵してもよいし、スケート靴（３）から配線を伸ばしてスケーターの着衣のポケット等に納めてもよい。この場合、スケート靴（３）に備えた場合に左右それぞれに必要であるバッテリー（６）をひとつにまとめることが出来る。
【０００８】
スケート靴（３）に備わる滑走手段（４）の接地状態を検出するための接地検出手段（２）をこの手段を機能させるために適した位置に備える。図１に示す実施例では接地検出手段（２）を感圧センサーとしている。感圧センサーはこれに加わる過重によって抵抗値が変化するものであり、固定抵抗器と直列に接続すれば、抵抗値変化を分圧電圧値として取り出すことが出来る。スケーターの体重が一定値以上センサーに加わった時の電圧を接地状態と判定し、スイッチ回路（７）内の比較回路によってこの判定を行い、トランジスタによって紫外線照明装置（１）を点灯もしくは増光させる。また、逆に感圧センサーに加わるスケーターの体重が一定値以下の時は同様にして離陸したと判定し、紫外線照明装置（１）を減光もしくは消灯せしめる。この制御により、足が接地している場合のみ強く発光するため、バッテリーの電流消費が節約出来、また、蓄光層を備えたスケート場においては足が離陸している間に不要な光跡を描くことが防がれる。スイッチ回路（７）はスケート靴（３）に内蔵してもよいし、バッテリーと一体の筐体に納め、バッテリー（６）とともにスケート靴（３）から配線を伸ばしてスケーターの着衣のポケット等に納めてもよい。尚、接地検出手段（２）が紫外線照明装置（１）のスイッチの機能を兼ねる場合は、スイッチ回路（７）は省略が可能である。
【０００９】
【発明の効果】
滑走面が蓄光塗料による塗装や、蓄光材料によって蓄光層が構成されているスケート場において本発明のスケート靴を使用することによって、図２に示す様に滑走面に接地している足元の蓄光層が紫外線によって励起、蓄光し、蓄光層が一定時間自発光する。滑走時には蓄光層に光跡として滑った跡が残るため、外部から観察すると、スケーターの脚の運びや軌道を見る楽しみが向上し、脚の運び等の滑り方を学ぶためにも便利となる。また、スケート場の滑走面が蛍光塗料による塗装や、蛍光色材料によって蛍光層が構成されている場合においては、接地している足元が本発明のスケート靴から発せられる紫外線によって照らし出されることで発光し、美しい装飾効果、演出効果を得ることが可能となる。
【図面の簡単な説明】
【図１】本発明の断面図
【図２】本発明の使用状態を示す図
【符号の説明】
１．紫外線照明装置
２．接地検出手段
３．スケート靴
４．滑走手段
５．紫（紫外線）発光ダイオード
６．バッテリー
７．スイッチ回路
８．滑走面
９．蓄光層または蛍光層
１０．滑走面の蓄光層に描かれる光跡
【図１】
0003932541.tif 000002
【図２】
0003932541.tif 000003